(57)【要約】【課題】管理対象者の居場所に応じた適切な位置情報を管理者へ通知することができる位置情報管理システムを提供する。【解決手段】無線タグ１１及びＧＰＳ受信部１６を備えた携帯端末１を、管理対象者に所持させる。構内端末１０は、タグリーダ８により無線タグ１１を検出し、児童の登下校状態の更新情報を通信網３を介して位置管理センタ４へ送信する。位置管理センタ４のタグ情報更新手段４６は、構内端末１０から登下校状態の更新情報を受信すると、位置管理ＤＢ４４における対応するユーザーコードの登下校状態を更新する。そして、位置管理センタ４は、保護者端末５から児童の居場所に関する位置要求を受けた際に、位置管理ＤＢ４４に基づいて児童が学校内に居るか否かを判断し、その児童が学校内に居る場合には在校中である旨を保護者端末５へ通知し、学校内に居ない場合には遠隔制御により携帯端末１から位置情報を取得して、現在位置情報を保護者端末５へ通知する。【選択図】図１
2008059331.tif 000002
【特許請求の範囲】
【請求項１】
管理対象者が所持する携帯端末と、携帯端末の管理区域への出入状態を管理する位置管理装置とからなる位置情報管理システムにおいて、
前記携帯端末は、
固有の識別コードが記載された無線タグと、
自己の位置情報を取得する位置情報取得手段と、
前記位置管理装置と通信網を介して無線通信する通信手段と、
前記位置管理装置から位置情報の取得要求信号を受信すると、前記位置情報取得手段を駆動させて位置情報を取得し、当該位置情報を前記通信手段を介して位置管理装置へ送信する制御手段とを備え、
前記位置管理装置は、
前記無線タグを検知して前記識別コードを取得するタグリーダと、
前記管理区域への前記携帯端末の出入状態を記憶する記憶手段と、
前記タグリーダが検知した無線タグの識別コードに基づいて、前記記憶手段に記憶された前記携帯端末の出入状態を更新する更新手段と、
前記携帯端末の位置要求を入力する位置要求受付手段と、
前記位置要求された携帯端末の前記出入状態が出状態である場合、当該携帯端末に対して位置情報の取得要求信号を送信し、当該携帯端末から返信された位置情報を取得する位置取得手段と、
前記位置要求された携帯端末の前記出入状態が入状態である場合は、管理区域内の存在を示す在域情報を出力し、前記出入状態が出状態である場合は、当該携帯端末から取得した位置情報を出力する位置提供手段と、
を備えたことを特徴とする位置情報管理システム。
【請求項２】
前記タグリーダは、管理区域の出入口近傍に設置され、管理区域へ出入する管理対象者が所持する前記携帯端末の無線タグを検出することを特徴とする請求項１に記載の位置情報管理システム。
【請求項３】
前記位置要求受付手段は、通信網を介して外部装置から送信される位置要求を受信する手段であり、
前記位置提供手段は、前記位置要求に対して、前記携帯端末の出入状態に応じて前記在域情報又は前記位置情報を外部装置へ通信網を介して送信する手段であることを特徴とする請求項１叉は２に記載の位置情報管理システム。
【請求項４】
前記位置管理装置は、さらに、管理区域への入場が制限されている時間帯である禁止時間帯を記憶する手段を備え、前記禁止時間帯において前記位置要求受付手段にて前記位置要求が入力された場合には、前記位置取得手段にて前記携帯端末から位置情報を取得し、前記位置提供手段にて当該位置情報を出力することを特徴とする請求項１乃至３のいずれか一つに記載の位置情報管理システム。
【発明の詳細な説明】
【技術分野】
【０００１】
本発明は、児童等の管理対象者に携帯端末を持たせ、管理対象者の管理区域への出入状態や居場所を管理するようにした位置情報管理システムに関する。
【背景技術】
【０００２】
従来、ＲＦＩＤシステムを利用して児童の登下校管理を行うシステムが提案されている（例えば、特許文献１参照）。この特許文献１に記載されたシステムでは、児童にＩＣカードを持たせ、予め学校に設置されたＩＣカード読取手段で児童が持つＩＣカードを読み取ることで、児童の登校、下校を検出する。また、児童の登校叉は下校を検出したときには、予め登録されている児童の保護者に対して、児童が登校叉は下校した旨を電子メール等で通知する。このような電子メール等による通知を受けることで、保護者は、児童が学校に無事到着したこと、若しくは、学校を出発したことを知ることができるため、登校中に児童が事件に巻き込まれた場合には迅速な対応をとることができる。
【０００３】
又、児童にＧＰＳ機能を有した携帯端末を所持させ、保護者が児童の居場所を知りたいときに保護者のパソコンや携帯電話から児童の携帯端末にアクセスして、児童の携帯端末がＧＰＳにより位置情報を取得して、保護者の端末に位置情報を送信し、位置情報を取得することができる位置情報システムが実用化されている。
【特許文献１】特開２００４−４６４５８号公報
【発明の開示】
【発明が解決しようとする課題】
【０００４】
しかし、上記従来の登下校管理システムでは、保護者は児童が学校にいるか否かを知ることはできるが、登校前及び下校後においては児童が何処にいるのか知ることができない。
【０００５】
又、上記の位置情報システムでは、児童の所持する携帯端末がＧＰＳ衛星の電波が受信可能な屋外や屋内の窓の近くにいれば正確な位置情報を取得することができるが、例えば、学校の校舎内や体育館の中にいる場合などでＧＰＳ衛星の電波を受信できない場合には正確な位置情報を取得することができなかった。従って、児童が登校して学校の校舎内に居ても保護者は登校していることを正確に確認できない場合があるという問題があった。
【０００６】
本発明は、このような従来の問題点に着目してなされたもので、その目的は、管理対象者の居場所に応じた適切な位置情報を管理者へ通知することができる位置情報管理システムを提供することにある。
【課題を解決するための手段】
【０００７】
本発明の第１の態様に係る位置情報管理システムは、管理対象者が所持する携帯端末と、携帯端末の管理区域への出入状態を管理する位置管理装置とからなる位置情報管理システムにおいて、前記携帯端末は、固有の識別コードが記載された無線タグと、自己の位置情報を取得する位置情報取得手段と、前記位置管理装置と通信網を介して無線通信する通信手段と、前記位置管理装置から位置情報の取得要求信号を受信すると、前記位置情報取得手段を駆動させて位置情報を取得し、当該位置情報を前記通信手段を介して前記位置管理装置へ送信する制御手段とを備え、前記位置管理装置は、前記無線タグを検知して識別コードを取得するタグリーダと、前記管理区域への前記携帯端末の出入状態を記憶する記憶手段と、前記タグリーダが検知した無線タグの識別コードに基づいて、前記記憶手段に記憶された前記携帯端末の出入状態を更新する更新手段と、前記携帯端末の位置要求を入力する位置要求受付手段と、前記位置要求された携帯端末の前記出入状態が出状態である場合、当該携帯端末に対して位置情報の取得要求信号を送信し、当該携帯端末から返信された位置情報を取得する位置取得手段と、前記位置要求された携帯端末の前記出入状態が入状態である場合は、管理区域内の存在を示す在域情報を出力し、前記出入状態が出状態である場合は、当該携帯端末から取得した位置情報を出力する位置提供手段と、を備えたことを特徴とする。
【０００８】
この態様によると、無線タグ及び位置情報取得機能を備えた携帯端末を管理対象者に持たせ、無線タグによって管理対象者（例えば児童）の管理区域への前記出入状態（例えば登下校状態）を管理し、管理対象者の居場所に関する位置要求を入力した際に、その管理対象者が管理区域内（例えば学校内）に居ること（「在校」）を出力し、居ない場合には遠隔制御により携帯端末から位置情報を取得して、現在位置情報を出力するようにしている。また、管理対象者の前記出入状態を管理し、前記記憶手段に記憶された携帯端末の出入状態を更新手段で更新するようにしているので、管理対象者が管理区域内に居る（入状態）か、叉は管理区域内に居ない（出状態）を、最新の出入状態から知ることができる。従って、管理対象者の居場所に応じた適切な位置情報を得ることができる。
【０００９】
本発明の他の態様に係る位置情報管理システムは、前記タグリーダは、管理区域の出入口近傍に設置され、管理区域へ出入する管理対象者が所持する前記携帯端末の無線タグを検出することを特徴とする。この態様によると、管理区域の出入口を通過する管理対象者から携帯端末の無線タグを検出するので、管理対象者の管理区域への出入状態を確実に把握して管理することができる。
【００１０】
本発明の他の態様に係る位置情報管理システムは、前記位置要求受付手段は、通信網を介して外部装置から送信される位置要求を受信する手段であり、前記位置提供手段は、前記位置要求に対して、前記携帯端末の出入状態に応じて前記在域情報又は前記位置情報を外部装置へ通信網を介して送信する手段であることを特徴とする。この態様によると、位置管理装置は、通信網を介して管理者（例えば保護者）が操作する外部装置（例えば保護者端末）から管理対象者の居場所に関する位置要求を受けた場合に、在域情報又は位置情報を管理者に通知することができる。なお、ここで、「在域情報」とは、管理対象者が管理区域内に居る（入状態）ことを表す情報である。
【００１１】
本発明の他の態様に係る位置情報管理システムは、前記位置管理装置は、さらに、管理区域への入場が制限されている時間帯である禁止時間帯を記憶する手段を備え、前記禁止時間帯において前記位置要求受付手段にて前記位置要求が入力された場合には、前記位置取得手段にて前記携帯端末から位置情報を取得し、前記位置提供手段にて当該位置情報を出力することを特徴とする。この態様によると、管理対象者が管理区域から出る時（例えば児童の下校時）に、管理対象者の操作忘れ等によりタグリーダで無線タグを読み取っていない場合に、その読み取り操作を忘れた管理対象者が管理区域内に居る入状態（例えば「在校中」）である旨の誤った情報を提供してしまう状況の発生を防ぐことができる。
【発明の効果】
【００１２】
本発明によれば、管理対象者の居場所に応じた適切な位置情報を管理者へ通知することができる。
【００１３】
又、管理対象者が所持する携帯端末は、管理区域内に居ない場合にのみ通信手段や位置情報取得手段を動作させるので、通信トラフィックや通信コストを低減することが可能となり、消費電力を少なくすることができる。
【発明を実施するための最良の形態】
【００１４】
以下、本発明を具体化した位置情報管理システムの一実施形態を図１乃至図７に基づいて説明する。本実施形態では、一例として、管理対象者が小学校に通学する児童であり、携帯端末を児童に持たせ、学校への登下校状態をタグ管理システムで管理し、保護者（管理者）から児童の居場所に関する位置要求を受けた際に、学校内に居ること、或いは学校内に居ない場合には現在位置情報を保護者へ通知するようにした位置情報管理システムについて説明する。
【００１５】
（位置情報管理システム全体の構成）
図１は、本発明の一実施形態に係る位置情報管理システムの運用イメージを説明するシステム概略図である。一実施形態に係る位置情報管理システムは、図１に示すように、児童が所持する無線タグ及びＧＰＳ機能付きの携帯端末１、携帯端末１の無線タグを読み取って児童の登下校を検出する構内管理装置２、携帯端末１及び構内管理装置２との間でインターネット網や携帯電話網等の通信網３や携帯電話網の基地局６ａ、６ｂを介して通信して児童の位置管理を行う位置管理センタ４によって構成される。また、位置管理センタ４は、児童の保護者等が操作する保護者端末５から、通信網３を介して児童の居場所に関する位置要求を受け付け、児童の居場所を通知する。保護者端末５には、パーソナルコンピュータや携帯電話等が用いられる。
【００１６】
（携帯端末）
図２は、携帯端末１の概略構成を示すブロック図である。携帯端末１には、図２に示すように、無線タグ１１が内蔵されている。無線タグ１１は、後述のタグリーダ８から搬送波を受信すると、自己のタグＩＤを付した応答波を送出する。ここで、無線タグ１１の種類は特に限定されるものではなく、タグリーダ８との間で非接触の無線通信を行えるものであればよい。例えば、無線タグ１１としては、携帯端末１に付することを考慮すると、小型でバッテリが不要なパッシブ型の無線タグ（いわゆるＲＦＩＤタグ）を使用するのが好ましい。
【００１７】
この携帯端末１は、無線タグ１１以外に、無線通信部１２と、記憶部１３と、制御部１４と、バッテリ１５と、を備えている。記憶部１３には、自己の識別情報である携帯端末ＩＤ（通信用アドレスを含む）や各種制御プログラム等が記憶されている。
【００１８】
無線通信部１２は、図１に示すＧＰＳ衛星７ａ〜７ｃからＧＰＳ信号を受信するＧＰＳ受信部１６と、位置管理センタ４と基地局６ａ、６ｂ及び通信網３を介して無線通信を行う通信部１７とを備えている。
【００１９】
制御部１４は、無線タグ１１を除く各部を制御する機能を有し、無線通信部１２を制御する通信制御部１８と、ＧＰＳ受信部１６で取得したＧＰＳ情報に基づいて位置情報（経度・緯度情報）を算出する位置算出部１９と、を備えている。
【００２０】
通信制御部１８は、位置管理センタ４から位置情報の取得要求コマンドを通信部１７を介して受信すると、ＧＰＳ受信部１６を駆動し、通信可能なＧＰＳ衛星７ａ〜７ｃからＧＰＳ情報を受信する。位置算出部１９は、取得したＧＰＳ情報から当該携帯端末１の位置を算出し、この算出した位置情報に携帯端末ＩＤを付して位置管理センタ４へ送信する。ＧＰＳシステムによる位置情報の取得方法は、従来の一般的な方法を用いればよいため、ここでの詳細な説明は省略する。
【００２１】
（構内管理装置）
図３は、無線タグによる管理区域である学校に設置された構内管理装置の概略を示すブロック図である。構内管理装置２（学校側システム）は、図１及び図３に示すように、校門など構内への出入口付近に設置したタグリーダ８と、タグリーダ８からのタグ検出情報をＬＡＮ経由で受信して児童の登下校状態を管理するパーソナルコンピュータ等の構内端末１０と、を備えている。また、構内端末１０は、通信網３を介して位置管理センタ４と通信する。
【００２２】
タグリーダ８は、所定周波数の搬送波を無線出力し、携帯端末１の無線タグ１１からの応答波を受信する。携帯端末１をタグリーダ８の近くにかざすと、タグリーダ８は、携帯端末１の無線タグ１１からの応答波に含まれる無線タグ１１のタグＩＤを取得し、自己の識別情報であるリーダＩＤと共にタグ検出信号として構内端末１０へ出力するようになっている。校門など構内への出入口箇所の数や、児童の数などに応じて、複数のタグリーダ８が各出入口付近に設置されている。例えば、複数の出入口には、児童の数に応じて１個或いは複数個のタグリーダがそれぞれ設置されている。
【００２３】
構内端末１０は、各種制御を行う制御部２１と、通信部２２と、タグ情報受信部２３と、記憶部２４と、操作部２５と、表示部２６と、を備えている。
【００２４】
タグ情報受信部２３は、タグリーダ８をＬＡＮを介して接続するインターフェースであり、タグリーダ８が送出したタグ検出信号を受信する。
【００２５】
制御部２１は、タグ情報受信部２３にてタグリーダ８からタグ検出信号（タグ検出情報）を受信すると、記憶部２４の登下校管理ＤＢ２７の記憶内容を更新する。登下校管理ＤＢ２７は、例えば、児童の氏名、タグＩＤ、登下校状態（在校／不在）を対応付けて記憶したテーブルである。つまり、登下校管理ＤＢ２７には、児童が「在校」（登校している）か「不在」（下校している）のいずれか一方のデータ（登下校状態のデータ）が、各児童の氏名及びタグＩＤと対応付けて記憶されている。登校と下校の区別は、例えば、無線タグを検出した時間帯（例えば、朝の時間帯は登校、夕方の時間帯は下校とする）、移動方向（例えば、複数のタグリーダ８を用いて移動方向を検出する）等によって行えばよい。
【００２６】
液晶モニタ等からなる表示部２６は、登下校管理ＤＢ２７の情報を表示する。この表示により、教師が児童の登下校状態を確認することができる。キーボードやマウスからなる操作部２５は、教師が手動で登下校管理ＤＢ２７を書き換える場合や、登下校管理ＤＢ２７に新たに情報を登録する場合等にデータを入力するための手段である。通信部２２は、通信網3を介して位置管理センタ４と通信するための手段である。
【００２７】
構内端末１０は、タグリーダ８による無線タグ１１の検出によって登下校管理ＤＢ２７を更新した場合には、更新した情報（検出したタグＩＤと最新の登下校状態）を、通信部２２によって通信網３を介して位置管理センタ４へ送信する。
【００２８】
なお、構内管理装置２により、児童が構内の何処にいるか等より詳細に児童の管理を行いたい場合は、タグリーダ８をフロアごと及び部屋ごとに設けておき、各タグリーダ８のリーダＩＤと設置場所を対応付けておけば、登下校管理ＤＢ２７で登下校校状態に加えて、構内における児童の所在場所（例えば、体育館、理科室等）を管理することができる。
【００２９】
（位置管理センタ）
図４は、位置管理センタに設置された設備の概略構成を表す機能ブロック図である。位置管理センタ４は、図４に示すように、通信部４０と、記憶部４１と、制御部４２と、を備えている。
【００３０】
通信部４０は、通信網３を介して、保護者端末５、構内管理装置２の構内端末１０、及び携帯端末１と通信するための手段である。
【００３１】
記憶部４１は、各種制御プログラムの他、ユーザ管理ＤＢ４３、位置管理ＤＢ４４、及び地図情報ＤＢ４５を備えている。
【００３２】
ユーザ管理ＤＢ４３には、図５に示すように、携帯端末１を所持する児童及び保護者を識別するユーザーコードと、保護者端末５で位置要求を行う際に必要なパスワードと、児童が所持する携帯端末１の携帯端末ＩＤ（通信用のアドレスを含む）と、携帯端末１に付された無線タグ１１のタグＩＤと、を対応付けて記憶する。
【００３３】
位置管理ＤＢ４４には、図６に示すように、ユーザーコードに対応付けて、児童の登下校状態、携帯端末１の取得位置情報（緯度／経度情報）を記憶する。
【００３４】
地図情報ＤＢ４５には、地図データ及び地図上のポイントが緯度・経度情報に対応させて記憶されている。
【００３５】
制御部４２は、通信部４０及び記憶部４１を制御する。制御部４２は、タグ情報更新手段４６と、位置要求受付手段４７と、位置取得手段４８と、位置提供手段４９と、を備えている。
【００３６】
タグ情報更新手段４６は、構内管理装置２から児童の登下校状態の更新情報（タグＩＤと最新の登下校状態）を受信すると、位置管理ＤＢ４４における対応するユーザーコードの登下校状態を受信した最初の登下校状態で更新する。
【００３７】
位置要求受付手段４７は、通信部４０にて保護者端末５からユーザーコード及びパスワードを含む位置要求信号を受信すると、ユーザー管理ＤＢ４３のテーブル（図５参照）を参照してユーザーコード及びパスワードの正当性を検証し、正当な場合に保護者端末５からの位置要求を受け付ける。
【００３８】
位置取得手段４８は、位置要求受付手段４７で保護者端末５からの位置要求を受け付けた場合に、位置管理ＤＢ４４のテーブル（図６参照）を参照して児童の登下校状態（在校／不在）を読み出す。ここで、読み出した児童の登下校状態が不在の場合は、その児童に対応する携帯端末ＩＤ（通信用アドレス）を用い、通信部４０にてその児童が所持する携帯端末１に位置情報の取得要求コマンドを送信する。そして、その携帯端末１から位置情報（緯度／経度情報）を取得する。
【００３９】
位置提供手段４９は、位置取得手段４８で児童の在校を確認した場合は、「在校中」である旨を示す情報を通信部４０から保護者端末５へ送信する。また、児童が「不在」であり、携帯端末１から位置情報（緯度／経度情報）を取得した場合には、取得した位置情報（経度／緯度情報）に基づき、この位置情報付近の地図を地図情報ＤＢ４５から読み出し、児童の「現在位置」を地図上に示して保護者端末５へ送信する。
【００４０】
次に、以上の構成を有する位置情報管理システムの動作を、図７に基づいて説明する。図７では、理解を容易にするために、保護者端末５、位置管理センタ４、及び携帯端末１の各々で実行する各処理及びその手順を一緒に示してある。
【００４１】
まず、図７に示すステップＳ１０１で登下校の状態確認、つまり児童の「在校」或いは「不在」を判定するのに用いられる位置管理ＤＢ４４の登下校状態の更新について説明する。
【００４２】
朝の登校時間帯において、登校する児童が携帯端末１を構内管理装置２に設置されたタグリーダ８にかざすと、タグリーダ８から構内端末１０へタグ検出信号（タグ検出情報）が送信される。構内端末１０は、タグ情報受信部２３にてタグリーダ８からのタグ検出信号を受信すると、記憶部２４の登下校管理ＤＢ２７の記憶内容を更新する。こうして、登校時間帯内において更新された登下校管理ＤＢ２７の記憶内容から、当日における児童の登校状態、つまりどの児童が登校して「在校」状態であるか、叉はどの児童がまだ登校しておらず「不在」状態であるのかがわかる。各児童の登校（在校）・不登校（不在）の状態がわかる。
【００４３】
構内端末１０は、タグリーダ８による無線タグ１１の検出によって登下校管理ＤＢ２７が更新されると、更新された最新の登下校状態（ここでは登校状態）の情報を検出したタグＩＤと共に通信網３を介して位置管理センタ４へ送信する。
【００４４】
位置管理センタ４のタグ情報更新手段４６は、構内管理装置２の構内端末１０から児童の登下校状態の更新情報（タグＩＤと最新の登下校状態）を受信すると、そのタグＩＤに対応するユーザーコードをユーザー管理ＤＢ４３のテーブルを参照して読み出し、位置管理ＤＢ４４における対応するユーザーコードの登下校状態を更新する。
【００４５】
また、夕方の下校時間帯においても、下校する児童が携帯端末１をタグリーダ８にかざすと、タグリーダ８から構内端末１０へタグ検出信号が送信される。構内端末１０は、タグ情報受信部２３にてタグリーダ８からのタグ検出信号を受信すると、記憶部２４の登下校管理ＤＢ２７の記憶内容を更新する。こうして、下校時間帯内において更新された登下校管理ＤＢ２７の記憶内容から、当日における児童の下校状態、つまりどの児童が下校して「不在」状態であるか、叉はどの児童がまだ下校しておらず「在校」状態であるのかがわかる。
【００４６】
構内端末１０は、タグリーダ８による無線タグ１１の検出によって登下校管理ＤＢ２７が更新されると、更新された最新の登下校状態（ここでは下校状態）の情報を検出したタグＩＤと共に通信網３を介して位置管理センタ４へ送信する。
【００４７】
構内管理装置２の構内端末１０から児童の登下校状態の更新情報（タグＩＤと最新の下校状態）を受信すると、そのタグＩＤに対応するユーザーコードをユーザー管理ＤＢ４３のテーブルを参照して読み出し、位置管理ＤＢ４４における対応するユーザーコードの登下校状態を更新する。
【００４８】
次に、位置情報管理システムの動作を、図７に基づき、位置管理センタ４の制御部４２が実行する処理を中心に説明する。
【００４９】
ステップＳ１０で、保護者が児童の位置を確認するために保護者端末５を操作し、ユーザーコード及びパスワードを入力して位置要求信号を発信すると、その位置要求信号は通信網３を介して位置管理センタ４に送られ、通信部４０で受信される。
【００５０】
位置管理センタ４は、通信部４０で保護者端末５からユーザーコード及びパスワードを含む位置要求信号を受信すると、位置要求受付手段４７で、ユーザー管理ＤＢ４３のテーブル（図５参照）を参照してユーザーコード及びパスワードの正当性を検証し、正当な場合に保護者端末５からの位置要求を受け付ける（ステップＳ１００）。
【００５１】
次に、ステップＳ１０１に進み、位置管理センタ４の位置取得手段４８は、登下校の状態確認、つまり児童が「在校」状態であるのか「不在」状態であるのかの判定を行う。ここで、位置取得手段４８は、位置管理ＤＢ４４のテーブル（図６参照）を参照して児童の登下校状態（在校／不在）を読み出して、「在校」か「不在」の判定を行う。例えば、図６に示す登下校管理ＤＢ２７のテーブルでは、ユーザーコード「００１」の児童は「在校」と判定され、ユーザーコード「００３」の児童は「不在」と判定される。
【００５２】
ステップＳ１０１で「在校」と判定された場合にはステップＳ１０２に進み、在校中（在域情報）の通知を通信部４０から通信網３を介して位置要求信号を発信した保護者端末５へ送る。
【００５３】
位置管理センタ４の通信部４０から在校中の通知を受けた保護者端末５には、在校中である旨の表示がなされる（ステップＳ１１）。
【００５４】
一方、ステップＳ１０１で「不在」と判定された場合にはステップＳ１０３に進む。このステップＳ１０３では、位置取得手段４８は、「不在」と判定された児童に対応する携帯端末ＩＤ（通信用アドレス）を用いてその児童が所持する携帯端末１に位置情報の取得要求コマンドを送信する。
【００５５】
携帯端末１の通信制御部１８は、位置管理センタ４から位置情報の取得要求コマンドを通信部１７にて受信すると、ＧＰＳ受信部１６を駆動し、通信可能なＧＰＳ衛星７ａ〜７ｃから自己の位置情報（当該携帯端末１の位置を表すＧＰＳ情報）を受信して取得する（ステップＳ２００）。次に、携帯端末１の位置算出部１９は、取得したＧＰＳ情報から当該携帯端末１の位置を算出する（ステップＳ２０１）。
【００５６】
この後、携帯端末１の通信部１７は、ステップＳ２０１で算出した位置情報（緯度／経度情報）を携帯端末ＩＤと共に位置管理センタ４へ送信する（ステップＳ２０２）。
次に、位置管理センタ４の位置取得手段４８が、携帯端末１から送信された位置情報（緯度／経度情報）及び携帯端末ＩＤを通信部４０を介して取得すると、位置提供手段４９は、地図情報ＤＢ４５及び取得した位置情報に基づき、児童の「現在位置」を地図上に示す位置情報の地図化を行う（ステップＳ１０４）。
【００５７】
次に、ステップＳ１０５に進み、位置提供手段４９は、児童の「現在位置」を示した地図を保護者端末５へ送信する（現在位置を通知する）。
【００５８】
その現在位置の通知を受けた保護者端末５の表示画面上には、児童の「現在位置」を示した地図が表示される。
【００５９】
以上のように構成された一実施形態によれば、以下の作用効果を奏する。
【００６０】
無線タグ及びＧＰＳ受信機能を備えた携帯端末を児童に持たせることで、無線タグによって児童の登下校状態を管理し、保護者（保護者端末５）から児童の居場所に関する位置要求を受けた際に、その児童が学校内に居る場合には在校中である旨を保護者へ通知し、学校内に居ない場合には遠隔制御により携帯端末から位置情報を取得して、現在位置情報を保護者へ通知するようにしている。また、児童の登下校状態を無線タグの検出によって管理しているので、児童が学校内に居る（「在校」）か、叉は学校内に居ない（「不在」）かを、最新の登下校状態から知ることができる。これにより、管理対象者である児童の居場所に応じた適切な位置情報を保護者へ通知することができる。
【００６１】
なお、この発明は以下のように変更して具体化することもできる。
・上記一実施形態では、ＧＰＳ情報によって携帯端末１の位置情報を得ているが、これに加えて携帯電話網の基地局６ａ、６ｂを利用して位置情報を得るように構成した位置情報管理システムにも本発明は適用可能である。
・上記一実施形態において、無線タグ１１は、小型でバッテリが不要なパッシブ型の無線タグに限らず、携帯端末１に内蔵のバッテリ１５を利用するセミアクティブ型の無線タグや、バッテリを備えたアクティブ型の無線タグであってもよい。
・上記一実施形態において、地図情報ＤＢ４５に代えて住所情報ＤＢを用い、児童の現在位置を住所で示して保護者端末５へ通知してもよい。また、地図と住所の両方を保護者端末５へ通知するようにしてもよい。
・上記一実施形態において、位置要求及び位置提供を行う保護者端末５とのインターフェースとして、ＡＳＰ（Application Service Provider）型のサービスを利用してもよい。
・上記一実施形態において、児童の下校時に、児童の操作忘れ等によりタグリーダ８で無線タグ１１を読み取っていない場合に、その読み取り操作を忘れた児童が「在校中」である旨の誤った情報を提供してしまう状況の発生を防ぐ必要がある。この場合、学校の閉門時間から開門時間までの入場が禁止されている禁止時間帯においては、位置管理センタ４は、管理上は「在校」であったとしても「在校中」である旨の誤った情報を保護者端末５へ提供せずに、対応する児童の携帯端末１から位置情報を取得して「現在位置」を提供するようにしてもよい。具体的には、上記の禁止時間帯（例えば、１８：００〜０６：３０）を記憶部４１（禁止時間帯を記憶する手段）に予め記憶しておき、位置要求を受け付けた時間が禁止時間帯である場合は、位置管理ＤＢ４４での登下校状態に拘わらず、「不在」状態のときと同様に携帯端末１から位置情報を取得して、児童の現在位置を提供する。または、別の具体例として、禁止時間帯になったとき、タグ情報更新手段４６で、位置管理ＤＢ４４における登下校状態を強制的に「不在」状態に更新するようにしてもよい。このような構成を有する位置情報管理システムにも本発明は適用可能である。
【００６２】
このような構成を有する位置情報管理システムによれば、児童の下校時に、児童の操作忘れ等によりタグリーダ８で無線タグ１１を検出できなかった場合に、その児童が実際は下校済みであるにも拘わらず「在校中」である旨の誤った情報を提供してしまう状況の発生を防ぐことができる。
・上記一実施形態において、構内管理装置２で登下校管理を行う必要がない場合は、タグリーダ８から直接通信網３を介して位置管理センタ４へタグ検出情報を送信するように構成してもよい。このような構成を有する位置情報管理システムにも本発明は適用可能である。
・上記一実施形態では、一つの学校を管理区域としているが、管理区域は一つの学校に限らず、複数の学校や複数の塾等の複数の施設をそれぞれ管理区域として、これらの管理区域の出入校状態をタグ管理システムで管理し、保護者端末５への位置提供の際、児童が何れの施設に居るかを通知するようにしてもよい。この場合、図３に示す上記構内管理装置２を施設ごとに設置する。位置管理センタ４では、構内管理装置２からのタグ検出信号（更新情報）に応じて、何れの施設での更新かを認識する。そしてどの施設への入状態かを区別して、位置管理ＤＢ４４で管理する。そして、児童が何れの施設内にも居ない場合には、対応する児童の携帯端末１の位置情報をＧＰＳシステムによって取得し、児童の「現在位置」を保護者端末５へ通知する。
・上記一実施形態では、携帯端末１の位置算出部１９で位置情報を算出するようにしているが、その位置情報の算出を位置管理センタ４で行うようにした位置情報管理システムにも本発明は適用可能である。この場合、携帯端末１からはＧＰＳ情報を位置管理センタ４に送信するようにすればよい。
【図面の簡単な説明】
【００６３】
【図１】本発明の一実施形態における位置情報管理システムを示すシステム概略図。
【図２】児童が所持する携帯端末の概略構成を示すブロック図。
【図３】学校に設置された構内管理装置の概略構成を示すブロック図。
【図４】位置管理センタに設置された設備の概略構成を示すブロック図。
【図５】同センタのユーザー管理ＤＢに記録されたデータの説明図。
【図６】同センタの位置管理ＤＢに記録されたデータの説明図。
【図７】位置情報管理システムの動作を示すフローチャート。
【符号の説明】
【００６４】
１・・・携帯端末、２・・・構内管理装置、３・・・通信網、
４・・・位置管理装置としての位置管理センタ、５・・・外部装置としての保護者端末、８・・・タグリーダ、１１・・・無線タグ、１２・・・無線通信部、
１４・・・制御手段としての制御部、
１６・・・位置情報取得手段としてのＧＰＳ受信部、
１７・・・通信手段としての通信部、２７・・・記憶手段としての登下校管理ＤＢ、
４４・・・記憶手段としての位置管理ＤＢ、
４６・・・更新手段としてのタグ情報更新手段、４７・・・位置要求受付手段、
４８・・・位置取得手段、４９・・・位置提供手段。
【図１】
2008059331.tif 000003
【図２】
2008059331.tif 000004
【図３】
2008059331.tif 000005
【図４】
2008059331.tif 000006
【図５】
2008059331.tif 000007
【図６】
2008059331.tif 000008
【図７】
2008059331.tif 000009